(57)【要約】      （修正有）【課題】ガラスパネル製の移動式パーティションを提供する。【解決手段】天井部に固着したレールに沿って走行自在なガラス製の移動式間仕切り壁において、ガラスパネルの上端辺エッジ部の両コーナー近傍に設けた切欠部の下方位置に穿孔部を設け、前記切欠部とその下部の穿孔部の両方に跨りかつ覆う面積の一対の締付部材１１をガラスパネルの両面にそれぞれパッキンを介して設け、一方の締付部材１１の片面より穿孔部内に挿通する突起部と他方の締付部材１１とを螺着固定させ、さらに吊下ボルト７の先端にナット部材８を螺着させてナット部材８を切欠部内に埋設し、切欠部とナット部材間の全空間に孔廻りゴム９を配設すると共に、前記一対の締付部材１１の上端部とナット部材８とを固定ボルト１３によって螺着固定させ、さらに、左右２つの支持金具１０を連結プレート２０で接続して、ガラスパネルを吊下げ支持する。【選択図】図３
2006009478.tif 000002
【特許請求の範囲】
【請求項１】
室内の天井部に固着したレールに沿って走行自在な吊下金具より垂下する吊下ボルトに支持金具を固定し、該支持金具でガラスパネルの上端を締付固定しガラスパネルを吊下げ支持する移動式間仕切り壁において、前記支持金具は、ガラスパネルの上端辺エッジ部の両コーナー近傍の２箇所に切欠部を設け、該切欠部近傍の下方位置に穿孔部を設けて、前記切欠部とその下部の穿孔部の両方に跨りかつ覆う面積の一対の締付部材をガラスパネルの両面に一対のパッキンを介して設け、前記一方の締付部材の片面より前記穿孔部内に挿通する突起部と、他方の締付部材とを螺着により固定させ、さらに、前記吊下ボルトの先端にナット部材を螺着させて該ナット部材を前記切欠部内に埋設し、該切欠部と前記ナット部材間の全空間に孔廻りゴムを配設すると共に、前記一対の締付部材の上端部と前記ナット部材とを固定ボルトによって螺着固定させ、さらに、左右２つの支持金具を連結プレートで接続して、ガラスパネルを吊下げ支持するようにしたことを特徴とする移動式間仕切り壁。
【請求項２】
前記ガラスパネルの穿孔部内に挿通させた締付部材の筒状の突起部の先端と、他方の締付部材とを当接させ、一方の締付部材の突起部先端と他方の締付部材とを固定ビスで螺着固定した時に、一対の締付部材間の間隔がガラス板の厚みより長くしてガラス板の穿孔部を過剰に締め過ぎない長さの筒状突起部としたことを特徴とする請求項1記載の移動式間仕切り壁。
【請求項３】
前記ガラスパネルの穿孔部内に挿通させた締付部材の突起部の先端と嵌合するような凹部を設け、他方の締付部材のガラス板面側に設け、両締付部材でガラスパネルを締付螺着固定した時に、ガラスパネルの穿孔部を過剰に締め過ぎない長さとするとともに、２枚の締付部材の連結を強固にしたことを特徴とする請求項２記載の移動式間仕切り壁。
【発明の詳細な説明】
【技術分野】
【０００１】
本発明は、建物の室内空間の間仕切り壁、パーティションを移動自在とした移動式間仕切り壁に関し、特に、間仕切り壁をガラスパネルとしたものに関する。
【背景技術】
【０００２】
従来より、建物内のオフィス、集会所、宴会場、講堂、会議室等の室内空間をパーティションボード等の間仕切り壁によって間仕切りし、プライバシーを確保すると共に、騒音を遮断できる機能的な快適空間を確保してきた。
【０００３】
さらに、使用目的の変化に対応した大きさの室内空間スペースに容易に変更できるように、間仕切り用のパーティションボードをスライド移動可能にして隅部位置に収納可能にして、複数の小空間を1つの大空間として使用できるようにしたものも普及している。
【０００４】
このような移動式パーティションの一例として、例えば、特開２００２−３８６３９号公報には、室内空間を間仕切る為の間仕切り壁であって、キャスターを底面に備える化粧板の下部に昇降装置を配設し、上部にバネを介装した幕板を配設した二体の可動式間仕切壁を上下方向に摺動可能かつ回動可能とする連結具により連結して、一体型可動式間仕切壁とし、昇降装置の下面及び幕板の上面にゴムまたは軟質樹脂からなる天井面ノンスリップ材、及び床面ノンスリップ材を貼設した間仕切り壁が開示されている（特許文献１）。
【０００５】
また、間仕切り壁をガラス板で構成した移動式パーティションの例として、特開２００３−１８４４１０号公報には、天井部内に固着して形成された軌道台と、所定間隔を隔てて配列された複数のボールを介して軌道台に摺動自在に組み付けられ、各ボールが循環可能な無限循環炉を有する摺動台と摺動台に保持手段を介して天井部より下部に取り付けられたドア部とを備えた可動式間仕切りシステムが開示されている（特許文献２）。
【０００６】
さらに、特表２００３−５１７１２１号公報には、スライド式仕切壁であって、側方に摺動可能であって移動ローラによって吊下げ成形材（１４）に沿ってスライドレールでガイドされる複数の壁エレメント（１２／１から１２／ｎ）を備えており、少なくとも１つの壁エレメント（１２／２）が閉扉装置（３０）を介して操作可能なドアエレメントとして形成されており、この場合、閉扉装置（３０）とドアエレメントとして利用される壁エレメントとの間に自動的に連結もしくは連結解除するスライドレールロッドが対応配置されており、ドアエレメントが、壁エレメントのスライド時、スライド位置に保持されるスライド式仕切り壁が記載されている（特許文献３）。
【０００７】
さらにまた、非特許文献１の（Ａ）として第２８〜３３頁によれば、ガラスパネルの上端辺の両コーナー近傍の２箇所に円形状の孔を設け、該孔の上辺エッジ側部分を大きく開口した切欠部を設け、該２つの穿孔部によってガラスパネルの上辺部を金属製のフレームで被着し、室内の天井部に固着したレールに沿って走行自在な吊下げ金具より前記上部フレームを吊下げるようにしたガラス板からなるパーティションが紹介されている。
【０００８】
また、同文献１の（Ｂ）として第３５〜３７頁によれば、ガラスパネルの上端両隅部をそれぞれ独立したコーナー金具によって吊下げ、室内の天井部に固着したレールに沿って走行自在な吊下げ金具より前記上部フレームを吊下げるようにしたガラス板からなるパーティションが紹介されている。
【０００９】
さらにまた、同文献１の（Ｃ）として、第３９〜４３頁によれば、パーティションではなくスライド式のガラスドアとして、室内の天井部に固着したレールに沿って走行自在な吊下金具より垂下する吊下ボルトの先端部がガラスドアの上端辺エッジ部の両コーナー近傍に設けたＵ字状の切欠部内に配置され、該切欠部の下部近傍位置にはガラス板の両面に配設する支持金具同士を締付固定するための穿孔部を設け、前記切欠部と穿孔部間はスリット溝で連結され、前記吊下ボルトの先端部と、ガラス板の上端部を支持する支持金具とは、前記切欠部内において螺着固定したスライド式のガラスドアが記載されている（非特許文献１）。
【特許文献１】特開２００２−３８６３９号公報
【特許文献２】特開２００３−１８４４１０号公報
【特許文献３】特表２００３−５１７１２１号公報
【非特許文献１】「ＬＡＭＰ総合カタログ第３巻、建築金物、ＮＯ．１３０」スガツネ工業株式会社編、第２８〜４３頁（２００３年５月印刷）
【発明の開示】
【発明が解決しようとする課題】
【００１０】
特許文献１に記載の間仕切り壁は、間仕切り壁がグラスウール等の吸音材を、二枚の木製又は石膏ボード等の化粧板で挟むようにした構成からなる一般的なパーティションに関するものであって、透明なガラス板で構成したものではない。
【００１１】
吊下げ移動式で間仕切り壁としてガラス板を用いる場合には、ガラス板の上端辺の両面に金属フレームを接着剤にて接着して、該金属フレームを吊下げることによってガラス板を吊下げるタイプが主流であったが、接着剥がれ等によってガラス板が落下する危険性を持っていた。
【００１２】
特許文献２に記載の可動式間仕切りシステムについては、間仕切り壁として透明なガラス板を用いたものであるが、該ガラス板の四辺全周囲をアルミニウムの金属フレームで補強し取り囲むようにして構成したスライドドアであり、該金属フレームによって吊下げ支持するもので、間仕切り壁の縦辺をフレームレスとするガラスパネルではない。さらに、特許文献２のものは、間仕切りの一部分だけを開閉可能とするものであって、間仕切り部分全体を開閉できるものではない。
【００１３】
特許文献３に記載のスライド式仕切り壁については、すべての壁エレメントを総ガラス張りのエレメントとした移動式のパーティションであるが、天井部に設けた走行自在な移動ローラ（２１）より垂下する吊下げボルト（１７）の先端部を吊下げ成形材（１４）に固定し、該吊下げ成形材（１４）によってガラス板の上端部を支持するものであり、天井部に設けたスライドレール（２０）からガラス板の上端までの間隔が広がり過ぎとなり、ガラスパネルをスライドレールの下部近くまで配設できないという問題点があった。
【００１４】
非特許文献１の（Ａ）に記載されているものは、ガラスパネルの上端辺に沿って被着する金属フレームの上部側を、天井部に設けたレールを走行する走行ローラから垂下する吊下げボルトと連結させるため、走行レールからガラス板の上端までの間隔が大きくなり、ガラスパネルをスライドレールの下部近くまで配設できないという問題点があった。
【００１５】
非特許文献１の（Ｂ）に記載されているものは、ガラスパネルの上端両隅部をそれぞれ独立したコーナー金具によって吊下げているので、ガラスパネルの中央部より下方位置で左右に移動させようとすると、図７に示すようなガラスパネルの進行方向側が浮き上がろうとするモーメントが発生し、ガラスパネルが傾くのでスムーズな移動が困難である。
【００１６】
非特許文献１の（Ｃ）に記載されているものは、間仕切りではなく吊下げ式のスライドドアであり、ガラスドアの上端を室内の天井部に固着したレール近傍位置まで近づける工夫をしたものであるが、図８に示したように、ガラスパネルの上端辺エッジ部の両コーナー近傍に設けたＵ字状の切欠部とその下方近傍に設けた穿孔部間をスリット状の溝部によって連結するように設けて、該穿孔部に挿通するボルトによってガラス板の両面に設けた支持金具同士を連結するので、前記穿孔部に挿通したボルトにガラス板の荷重がかかり、スリット部分よりガラスパネルが破損する恐れがある。
【課題を解決するための手段】
【００１７】
本発明は、上記問題点の解決を図る、すなわち、それぞれ移動自在な複数枚のガラス板で構成した間仕切り壁の所望のいずれか一部または全部を開閉自在とすることができ、ガラス板の縦側辺をフレームレスとし、かつガラス板の上辺に設ける金属製のフレーム部または支持金具部分を最小限の大きさとして、パネルの最上端辺をレール部近傍まで大きく取れるようにしてガラス部分の面積を大きくし、さらに、ガラス板に設けた穿孔部からの破損の恐れもなく、ガラスパネルの移動時にガラスパネルの浮き上がりもなくスムーズに移動できることを目的とする。
【００１８】
すなわち、本発明は、室内の天井部に固着したレールに沿って走行自在な吊下金具より垂下する吊下ボルトに支持金具を固定し、該支持金具でガラスパネルの上端を締付固定しガラスパネルを吊下げ支持する移動式間仕切り壁において、前記支持金具は、ガラスパネルの上端辺エッジ部の両コーナー近傍の２箇所に切欠部を設け、該切欠部近傍の下方位置に穿孔部を設けて、前記切欠部とその下部の穿孔部の両方に跨りかつ覆う面積の一対の締付部材をガラスパネルの両面に一対のパッキンを介して設け、前記一方の締付部材の片面より前記穿孔部内に挿通する突起部と、他方の締付部材とを螺着により固定させ、さらに、前記吊下ボルトの先端にナット部材を螺着させて該ナット部材を前記切欠部内に埋設し、該切欠部と前記ナット部材間の全空間に孔廻りゴムを配設すると共に、前記一対の締付部材の上端部と前記ナット部材とを固定ボルトによって螺着固定させ、さらに、左右２つの支持金具を連結プレートで接続して、ガラスパネルを吊下げ支持するようにしたことを特徴とする移動式間仕切り壁である。
【００１９】
あるいは、本発明は、前記ガラスパネルの穿孔部内に挿通させた締付部材の筒状の突起部の先端と、他方の締付部材とを当接させ、一方の締付部材の突起部先端と他方の締付部材とを固定ビスで螺着固定した時に、一対の締付部材間の間隔がガラス板の厚みより長くしてガラス板の穿孔部を過剰に締め過ぎない長さの筒状突起部としたことを特徴とする上述の移動式間仕切り壁である。
【００２０】
あるいはまた、本発明は、前記ガラスパネルの穿孔部内に挿通させた締付部材の突起部の先端と嵌合するような凹部を設け、他方の締付部材のガラス板面側に設け、両締付部材でガラスパネルを締付螺着固定した時に、ガラスパネルの穿孔部を過剰に締め過ぎない長さとするとともに、２枚の締付部材の連結を強固にしたことを特徴とする上述の移動式間仕切り壁である。
【発明の効果】
【００２１】
本発明により、それぞれ移動自在な複数枚のガラス板で構成した間仕切り壁のそれぞれを独立して移動できるので、所望のいずれか一部または全部をオープン状態とすることができる。
【００２２】
また、ガラス板の縦側辺をフレームレスとし、かつガラス板の上辺に設ける金属製のフレーム部または支持金具部分を最小限の大きさとして、ガラスパネルの最上端辺をレール部近傍まで大きく取れるようにし、ガラス面積を最大限に広く取ることができる。
【００２３】
さらに、ガラス板の穿孔部を締め付け過ぎとならない支持金具によって支持しているのでガラス板の穿孔部からの破損の恐れもなく、ガラスパネルの移動時にガラスパネルの浮き上がりによる傾きも起きないためスムーズに移動できる。
【発明を実施するための最良の形態】
【００２４】
図１〜図２に示すように、建物の室内の間仕切り壁を設置する部分の天井に間仕切り壁の移動用のレール３と、該レール３の片端部近傍に前記間仕切り壁を収納するためのレール３を室内の収納スペースに配設した。
【００２５】
図３〜図５に示すように、前記レール３に沿って摺動かつ走行自在な吊下金具６より吊下ボルト７がレール３のスリット部より垂下し、該吊下ボルト７の下端でナット部材８と螺着し、前記ナット部材８と支持金具１０とは固定ボルトによって固定される。
【００２６】
前記支持金具１０は、各ガラスパネル２の上端隅部近傍の２箇所に設けた穿孔部を締付固定し、ガラスパネル２を吊下げによって支持するものであり、各ガラスパネル２、２、・・は、図１、図２に示したように同一レール３上を移動する。
【００２７】
各ガラスパネル２は、その上端辺エッジ部の両コーナー近傍の２箇所にＵ字状の切欠部２ａを設け、該切欠部２ａ近傍の下方位置に穿孔部２ｂを設けた。前記切欠部２ａと穿孔部２ｂ間はガラスパネル２の板厚の概ね３倍程度以上の間隔を空けて設けるのが穿孔部２ｂからの破損防止のため望ましい。
【００２８】
ガラスパネル２の穿孔部２ｂを支持する支持金具１０は、前記切欠部２ａとその下部の穿孔部２ｂの両方に跨って覆うことのできる面積を有した締付部材１１であって、該締付部材１１をガラスパネルの穿孔部と切欠き部の両面よりパッキンを介して、ボルト等によって締付挟持し螺着する。
【００２９】
前記一方の締付部材１１の片面より垂設する突起部１１ａを前記穿孔部２ｂ内に挿通させて、他方の締付部材１１’とを当接させ、締付部材１１’側より固定ボルト１３を前記突起部先端の中心部に螺着させて、両締付部材１１、１１’を固定させる。
【００３０】
さらに、前記吊下ボルト７の先端に螺着させたナット部材８を、前記切欠部内に埋設させ、前記切欠部２ａと前記ナット部材８間の全空間に孔廻りゴム材９を充填すると共に、前記２枚の各締付部材１１、１１’と前記ナット部材８とを固定ボルト１４、１４によって螺着固定させた。
【００３１】
さらに、図３、図６に示されるように、1枚のガラスパネル毎に上辺の左右２個所に配置した支持金具１０のガラスパネルの片面側に配置した２つの締付部材１１、１１の上端部同士を連結プレート２０で接続した。連結プレート２０の両端部に設けた連結プレート取付孔２０ａ、２０ａと締付部材１１、１１とは連結プレート固定ビス２１、２１によって螺着した。
【００３２】
図７に示すように連結プレート２０を設けていない場合には、レール３内を摺動自在な吊下げ金具６の吊下げボルト７の中心線がそれぞれ傾斜状態となり、さらには、左右の吊下げボルトの傾斜角度が異なるケースもあり、吊下げ金具がスムーズに移動できないが、本発明のように連結プレート２０によって、1枚のガラスパネル毎に上辺の左右２個所に配置した支持金具１０同士を固定し、ガラスパネル２の上辺と吊下げボルトの中心線とを直角方向にして固定することにより、ガラスパネル２の移動時にガラスパネル２の浮き上がりによる移動時のガタの発生を防止できる。
【００３３】
また、前記ガラスパネル２の穿孔部２ｂ内に挿通させた締付部材１１の筒状の突起部１１ａの先端と、他方の締付部材１１’とを当接させ、一方の締付部材１１の突起部１１ａの先端と他方の締付部材１１’とを固定ビスで螺着固定した時に、２枚の締付部材１１、１１’間の間隔を、ガラスパネル２の厚みよりも大きくし、さらにガラスパネル２の厚みに２枚のパッキン１２、１２を足した合計長さより僅かに狭くしてガラスパネル２の穿孔部２ｂを過剰な締付力で締め過ぎない間隔となる長さの筒状突起部とした。
【００３４】
前記支持金具の２枚の締付部材１１、１１’は、その一方の締付部材１１がその片面より突起部１１ａを垂設させ、ガラスパネル２の穿孔部２ｂ内を挿通させて、他方の締付部材１１’と当接させてガラスパネル２の穿孔部２ｂを締付挟持させるが、他方の締付部材１１’のガラスパネル面側が前記突起部２ｂの先端と当接状態であるだけでなく、突起部１１ａと嵌合するような凹部を設けると、２つの締付部材１１、１１’でガラスパネル２を締付挟持した時に、ガラスパネル２の荷重を支える突起部２ｂが２枚の締付部材１１、１１’によって支えられる為、荷重が分散され、突起部１１ａにかかる負担が少なくてすむ。
【００３５】
もちろん、この場合においても、２枚の締付部材１１、１１’間の間隔は前記凹部のない締付部材１１’の場合と同様な間隔として、ガラスパネル２の穿孔部２ｂを過剰に締め過ぎない間隔となる長さの筒状突起部とするのが良い。
【００３６】
前記ガラスパネル２は所望の位置で、図示しない圧接機構等により金属製の下部フレーム内を昇降自在な押圧部材（図示しない）を床面に押し付けて容易に固定させることができ、レール３の両端部側のパネル２、２については、フランス落し等により床面と固定すれば良い。
【００３７】
以上好適な実施例について述べたが、本発明はこれに限定されるものではなく種々の応用が考えられるものである。
【図面の簡単な説明】
【００３８】
【図１】本発明のガラス製間仕切り壁の全体正面図。
【図２】本発明のガラス製間仕切り壁の全体平面図。
【図３】本発明のガラス製間仕切り壁の全体平面図。
【図４】本発明のガラス製間仕切り壁の吊下げ部の正面図。
【図５】本発明のガラス製間仕切り壁の吊下げ部の縦断面図。
【図６】本発明のガラス製間仕切り壁の吊下げ部の横断面図。
【図７】従来のガラス製間仕切り壁の吊下げ構造。
【図８】従来の間仕切り壁で使用するガラスパネルの穿孔図。
【符号の説明】
【００３９】
１          パーティション（間仕切り壁）
２          ガラスパネル
２ａ        切欠き部
２ｂ        穿孔部
３          レール
６          吊下げ金具
７          吊下げボルト
８          ナット部材
９          孔廻りゴム
１０          支持金具
１１          締付部材
１１ａ        突起部
１２          パッキン
１３          固定ボルト
２０          連結プレート
２０ａ        連結プレート取付孔
２１          連結プレート固定ビス
【図１】
2006009478.tif 000003
【図２】
2006009478.tif 000004
【図３】
2006009478.tif 000005
【図４】
2006009478.tif 000006
【図５】
2006009478.tif 000007
【図６】
2006009478.tif 000008
【図７】
2006009478.tif 000009
【図８】
2006009478.tif 000010